(57)【特許請求の範囲】
【請求項１】
無線通信システム上で基地局と通信するＵＥ（ｕｓｅｒ ｅｑｕｐｉｍｅｎｔｓ）へ制御情報を提供する方法であって、
可変な数のＲＥＧ（ｒｅｓｏｕｒｃｅ ｅｌｅｍｅｎｔ ｇｒｏｕｐｓ）を含むＥＣＣＥ（ｅｎｈａｎｃｅｄ−ｃｏｎｔｒｏｌ ｃｈａｎｎｅｌ ｅｌｅｍｅｎｔ）構造に応じて、少なくとも一つのＥ−ＰＤＣＣＨ（ｅｎｈａｎｃｅｄ−ｐｈｙｓｉｃａｌ ｄｏｗｎｌｉｎｋ ｃｏｎｔｒｏｌ ｃｈａｎｎｅｌ）を、少なくとも一対の割り当てられたＰＢＲ（ｐｈｙｓｉｃａｌ ｒｅｓｏｕｒｃｅ ｂｌｏｃｋｓ）へマッピングし、
Ｅ−ＣＣＥ構造における前記ＲＥＧの数を変更する、
ことを含む方法。
【請求項２】
請求項１において、
前記ＵＥを前記無線通信システム上で前記基地局と通信できるように設定するための制御情報を構成する前記少なくとも一つのＥＰＤＣＣＨを、エンコードし、
前記少なくとも一対の割り当てられたＰＢＲへマッピングした前記少なくとも一つのＥ−ＰＤＣＣＨを前記ＵＥへ伝え、以て前記ＵＥを、前記制御情報に基づき前記無線通信システム上で通信するよう設定可能にする、
ことをさらに含む方法。
【請求項３】
請求項１又は２において、
各Ｅ−ＣＣＥ構造は、３、４、５、６、９、１０、１１、１２、１４又は１６個のＲＥＧのサイズを有する、
ことを特徴とした方法。
【請求項４】
請求項１又は２において、
各Ｅ−ＣＣＥ構造は、１２、１６、２０、２４、３６、４０、４４、４８、５６又は６４個のＲＥ（ｒｅｓｏｕｒｃｅ ｅｌｅｍｅｎｔｓ）のサイズを有する、
ことを特徴とした方法。
【請求項５】
請求項１〜４のいずれか一項において、
前記ＲＥＧの数は、サブフレームによって異なる、ことを特徴とした方法。
【請求項６】
請求項１〜４のいずれか一項において、
前記ＲＥＧの数は、一つのサブフレーム内でさえ異なる、ことを特徴とした方法。
【請求項７】
請求項１〜４のいずれか一項において、
前記方法が基地局にて実施される場合に、
前記Ｅ−ＣＣＥ構造のサイズは、前記基地局にて、
（１）Ｅ−ＰＤＣＣＨ向けの一対のＰＲＢ又は複数のＰＲＢ対へのＥ−ＰＤＣＣＨ又は多重化されたＥＰＤＣＣＨのマッピングに利用可能なＲＥの数を算出し、
（２）各Ｅ−ＣＣＥ構造のサイズのために、ステップ(１)で算出したＥ−ＰＤＣＣＨ又は多重化されたＥＰＤＣＣＨのマッピングに利用可能なＲＥの数をＥ−ＣＣＥ構造のサイズで幾つかのＲＥへ分割した、残りのＲＥを算出し、
（３）ステップ(２)で最少の残りのＲＥの数を与えるＥ−ＣＣＥ構造のサイズを選択し、
（４）最少の残りのＲＥの数を与えるＥ−ＣＣＥ構造のサイズが１より多く存在する場合、
ａ．最少の残りのＲＥの数を与える各Ｅ−ＣＣＥ構造のサイズのために、ノミネートされるアグリゲーションレベル１、２、４及び８から、最大の可能なアグリゲーションレベルを決定し、
ｂ．各Ｅ−ＣＣＥ構造のサイズのために、ステップ(１)で算出したＥ−ＰＤＣＣＨ ＰＤＣＣＨ又は多重化されたＥ−ＰＤＣＣＨのマッピングに利用可能なＲＥの数をステップ（４）ａ．における最大の可能なアグリゲーションレベルで幾つかのＲＥへ分割した、残りのＲＥを算出し、
ｃ．最少の残りのＲＥとなるＥ−ＣＣＥ構造のサイズを選択し、
（５）最少の残りのＲＥの数を与えるＥ−ＣＣＥ構造のサイズが１より多く存在しない場合には、ステップ（３）で選択したＥ−ＣＣＥ構造のサイズを用いる、
ことによって決定される、方法。
【請求項８】
請求項１〜４のいずれか一項において、
前記方法がＵＥにて実施される場合に、
前記Ｅ−ＣＣＥ構造のサイズは、前記ＵＥにて、
（１）割り当てられた一対のＰＲＢ又は複数のＰＲＢ対におけるＥ−ＰＤＣＣＨ又は多重化されたＥＰＤＣＣＨのマッピングに利用可能なＲＥの数を算出し、
（２）各Ｅ−ＣＣＥ構造のサイズのために、ステップ(１)で算出したＥ−ＰＤＣＣＨ又は多重化されたＥＰＤＣＣＨのマッピングに利用可能なＲＥの数をＥ−ＣＣＥ構造のサイズで幾つかのＲＥへ分割した、残りのＲＥを算出し、
（３）ステップ(２)で最少の残りのＲＥの数を与えるＥ−ＣＣＥ構造のサイズを選択し、
（４）最少の残りのＲＥの数を与えるＥ−ＣＣＥ構造のサイズが１より多く存在する場合、
ａ．最少の残りのＲＥの数を与える各Ｅ−ＣＣＥ構造のサイズのために、ノミネートされるアグリゲーションレベル１、２、４及び８から、最大の可能なアグリゲーションレベルを決定し、
ｂ．各Ｅ−ＣＣＥ構造のサイズのために、ステップ(１)で算出したＥ−ＰＤＣＣＨ又は多重化されたＥＰＤＣＣＨのマッピングに利用可能なＲＥの数をステップ（４）ａ．における最大の可能なアグリゲーションレベルで幾つかのＲＥへ分割した、残りのＲＥを算出し、
ｃ．最少の残りのＲＥとなるＥ−ＣＣＥ構造のサイズを選択し、
（５）最少の残りのＲＥの数を与えるＥ−ＣＣＥ構造のサイズが１より多く存在しない場合には、ステップ（１）で選択したＥ−ＣＣＥ構造のサイズを用いる、
ことによって決定される、方法。
【請求項９】
無線通信システム上でＵＥ（ｕｓｅｒ ｅｑｕｐｉｍｅｎｔ）と通信する基地局であって、
可変な数のＲＥＧ（ｒｅｓｏｕｒｃｅ ｅｌｅｍｅｎｔ ｇｒｏｕｐｓ）を含むＥ−ＣＣＥ（ｅｎｈａｎｃｅｄ−ｃｏｎｔｒｏｌ ｃｈａｎｎｅｌ ｅｌｅｍｅｎｔ）構造に応じて、少なくとも一つのＥ−ＰＤＣＣＨ（ｅｎｈａｎｃｅｄ−ｐｈｙｓｉｃａｌ ｄｏｗｎｌｉｎｋ ｃｏｎｔｒｏｌ ｃｈａｎｎｅｌ）を、少なくとも一対の割り当てられたＰＢＲ（ｐｈｙｓｉｃａｌ ｒｅｓｏｕｒｃｅ ｂｌｏｃｋｓ）へマッピングするマッピング部を、備え、
Ｅ−ＣＣＥ構造における前記ＲＥＧの数を変更する、
基地局。
【請求項１０】
請求項９において、
制御情報を構成する前記少なくとも一つのＥＰＤＣＣＨを送信する送信部を、さらに備え、
前記ＵＥは、前記制御情報に基づき前記無線通信システム上で前記基地局と通信するよう設定される、
ことを特徴とした基地局。
【請求項１１】
無線通信システム上で基地局と通信するＵＥ（ｕｓｅｒ ｅｑｕｐｉｍｅｎｔ）であって、
コントローラを、備え、
前記コントローラは、前記ＵＥを前記無線通信システム上で前記基地局と通信できるように設定するための制御情報を構成する少なくとも一つのＥＰＤＣＣＨ（ｅｎｈａｎｃｅｄ−ｐｈｙｓｉｃａｌ ｄｏｗｎｌｉｎｋ ｃｏｎｔｒｏｌ ｃｈａｎｎｅｌ）を受信し、前記少なくとも一つのＥ−ＰＤＣＣＨは、可変な数のＲＥＧ（ｒｅｓｏｕｒｃｅ ｅｌｅｍｅｎｔ ｇｒｏｕｐｓ）を含むＥ−ＣＣＥ（ｅｎｈａｎｃｅｄ−ｃｏｎｔｒｏｌ ｃｈａｎｎｅｌ ｅｌｅｍｅｎｔ）構造に応じて、少なくとも一対の割り当てられたＰＢＲ（ｐｈｙｓｉｃａｌ ｒｅｓｏｕｒｃｅ ｂｌｏｃｋｓ）へマッピングされ、
Ｅ−ＣＣＥ構造における前記ＲＥＧの数は、前記基地局によって変更される、
ＵＥ。
【請求項１２】
基地局において実施される方法であって、
可変な数のＲＥＧ（ｒｅｓｏｕｒｃｅ ｅｌｅｍｅｎｔ ｇｒｏｕｐｓ）を含むＥＣＣＥ（ｅｎｈａｎｃｅｄ−ｃｏｎｔｒｏｌ ｃｈａｎｎｅｌ ｅｌｅｍｅｎｔ）構造に応じて、少なくとも一つのＥＰＤＣＣＨ（ｅｎｈａｎｃｅｄ−ｐｈｙｓｉｃａｌ ｄｏｗｎｌｉｎｋ ｃｏｎｔｒｏｌ ｃｈａｎｎｅｌ）を、少なくとも一対の割り当てられたＰＢＲ（ｐｈｙｓｉｃａｌ ｒｅｓｏｕｒｃｅ ｂｌｏｃｋｓ）へマッピングし、
Ｅ−ＣＣＥ構造における前記ＲＥＧの数を変更する、
ことを含む方法。
【請求項１３】
請求項１２において、
ＵＥを無線通信システム上で前記基地局と通信できるように設定するための制御情報を構成する前記少なくとも一つのＥＰＤＣＣＨを、エンコードし、
前記少なくとも一対の割り当てられたＰＢＲへマッピングした前記少なくとも一つのＥ−ＰＤＣＣＨを前記ＵＥへ伝え、以て前記ＵＥを、前記制御情報に基づき前記無線通信システム上で通信するよう設定可能にする、
ことをさらに含む方法。
【請求項１４】
ＵＥ（ｕｓｅｒ ｅｑｕｐｉｍｅｎｔ）において実施される方法であって、
前記ＵＥを無線通信システム上で基地局と通信できるように設定するための制御情報を構成する少なくとも一つのＥＰＤＣＣＨ（ｅｎｈａｎｃｅｄ−ｐｈｙｓｉｃａｌ ｄｏｗｎｌｉｎｋ ｃｏｎｔｒｏｌ ｃｈａｎｎｅｌ）を受信する、ことを含み、
前記少なくとも一つのＥ−ＰＤＣＣＨは、可変な数のＲＥＧ（ｒｅｓｏｕｒｃｅ ｅｌｅｍｅｎｔ ｇｒｏｕｐｓ）を含むＥ−ＣＣＥ（ｅｎｈａｎｃｅｄ−ｃｏｎｔｒｏｌ ｃｈａｎｎｅｌ ｅｌｅｍｅｎｔ）構造に応じて、少なくとも一対の割り当てられたＰＢＲ（ｐｈｙｓｉｃａｌ ｒｅｓｏｕｒｃｅ ｂｌｏｃｋｓ）へマッピングされ、
Ｅ−ＣＣＥ構造における前記ＲＥＧの数は、前記基地局によって変更される、
方法。
【発明の詳細な説明】
【技術分野】
【０００１】
本発明は、データ通信においてＵＥ(Ｕｓｅｒ Ｅｑｕｉｐｍｅｎｔｓ)へ制御情報を提供する方法に関し、特に、ＵＥを設定するためにＥ−ＰＤＣＣＨ(ｅｎｈａｎｃｅｄ ｐｈｙｓｉｃａｌ ｄｏｗｎｌｉｎｋ ｃｏｎｔｒｏｌ ｃｈａｎｎｅｌｓ)を用いることに関する。
【背景技術】
【０００２】
ＬＴＥ(Ｌｏｎｇ Ｔｅｒｍ Ｅｖｏｌｕｔｉｏｎ) Ｒｅｌｅａｓｅ ８、９及び１０等の既存のＬＴＥ無線通信システムにおいて、ＬＴＥシステムにおけるｅＮｏｄｅＢは、どのＵＥ(Ｕｓｅｒ Ｅｑｕｉｐｍｅｎｔ)へデータ送信のためのアップリンクリソースを与えるべきか、及びどのＵＥがダウンリンクにおけるデータ受信のためにスケジュールされるべきかを決定し、これに応じて、ＵＥへ適切な制御情報を提供する。一例を挙げると、ｅＮｏｄｅＢは、ＵＥにとって必要且つサポートとなり、当該制御情報を構成するＰＤＣＣＨ(Ｐｈｙｓｉｃａｌ Ｄｏｗｎｌｉｎｋ Ｃｏｎｔｒｏｌ Ｃｈａｎｎｅｌ)の制御チャネルリソース量を決定する。
【発明の概要】
【発明が解決しようとする課題】
【０００３】
現在のところ、制御チャネルリソースの使用を最適化して、システム・ケイパビリティを向上させる必要がある。
【課題を解決するための手段】
【０００４】
本発明の一態様は、ＬＴＥ(Ｌｏｎｇ Ｔｅｒｍ Ｅｖｏｌｕｔｉｏｎ)無線通信システム上でｅＮｏｄｅＢとデータ通信するＵＥへ制御情報を提供する方法を提供する。この方法は、前記ＵＥを前記ＬＴＥ無線通信システム上で前記ｅＮｏｄｅＢとデータを交換できるように設定するための制御情報を構成する少なくとも一つのＥ−ＰＤＣＣＨ(Ｅｎｈａｎｃｅｄ−Ｐｈｙｓｉｃａｌ Ｄｏｗｎｌｉｎｋ Ｃｏｎｔｒｏｌ Ｃｈａｎｎｅｌ)をエンコードし、可変な数のＲＥＧ(Ｒｅｓｏｕｒｃｅ Ｅｌｅｍｅｎｔ Ｇｒｏｕｐｓ)を含むＥ−ＣＣＥ(Ｅｎｈａｎｃｅｄ−Ｃｏｎｔｒｏｌ Ｃｈａｎｎｅｌ Ｅｌｅｍｅｎｔ)構造に応じて、前記少なくとも一つのＥ−ＰＤＣＣＨを少なくとも一対の割り当てられたＰＢＲ(Ｐｈｙｓｉｃａｌ Ｒｅｓｏｕｒｃｅ Ｂｌｏｃｋｓ)へマッピングし、Ｅ−ＣＣＥ構造における前記ＲＥＧの数を変更して、前記Ｅ−ＰＤＣＣＨマッピングのためのチャネル稼働率を最適化し、前記少なくとも一対の割り当てられたＰＢＲへマッピングした前記少なくとも一つのＥ−ＰＤＣＣＨを前記ＵＥへ伝え、以て前記ＵＥを、前記制御情報に基づき前記ＬＴＥ無線通信システム上で前記データを交換するよう設定可能にする、ことを含む。
【０００５】
１以上の実施形態において、各Ｅ−ＣＣＥ構造は、３、４、５、６、９、１０、１１、１２、１４若しくは１６個のＲＥＧのサイズ、又は同等に、１２、１４、２０、２４、３６、４０、４４、４８、５６若しくは６４個のＲＥ(Ｒｅｓｏｕｒｃｅ Ｅｌｅｍｅｎｔｓ)のサイズを有する。
【０００６】
１以上の実施形態において、前記Ｅ−ＣＣＥ構造のサイズは、一対のＰＲＢ又はサブフレーム内のＰＲＢ対のグループ上で異なり得る。
【０００７】
ｅＮｏｄｅＢにて実施される場合、前記Ｅ−ＣＣＥ構造のサイズは、前記ｅＮｏｄｅＢにて以下のステップ（１）〜（５）により決定しても良い。
（１）Ｅ−ＰＤＣＣＨ向けの一対のＰＲＢ又は複数のＰＲＢ対へのＥ−ＰＤＣＣＨ又は多重化されたＥ−ＰＤＣＣＨのマッピングに利用可能なＲＥの数を算出する
（２）各Ｅ−ＣＣＥ構造のサイズのために、ステップ(１)で算出したＥ−ＰＤＣＣＨ又は多重化されたＥ−ＰＤＣＣＨのマッピングに利用可能なＲＥの数をＥ−ＣＣＥ構造のサイズで幾つかのＲＥへ分割した、残りのＲＥを算出する
（３）ステップ(２)で最少の残りのＲＥの数を与えるＥ−ＣＣＥ構造のサイズを選択する
（４）最少の残りのＲＥの数を与えるＥ−ＣＣＥ構造のサイズが１より多く存在する場合、
ａ．最少の残りのＲＥの数を与える各Ｅ−ＣＣＥ構造のサイズのために、ノミネートされるアグリゲーションレベル１、２、４及び８から、最大の可能なアグリゲーションレベルを決定し、
ｂ．各Ｅ−ＣＣＥ構造のサイズのために、ステップ(１)で算出したＥ−ＰＤＣＣＨ又は多重化されたＥ−ＰＤＣＣＨのマッピングに利用可能なＲＥの数をステップ（４）ａ．における最大の可能なアグリゲーションレベルで幾つかのＲＥへ分割した、残りのＲＥを算出し、
ｃ．最少の残りのＲＥとなるＥ−ＣＣＥ構造のサイズを選択する
（５）最少の残りのＲＥの数を与えるＥ−ＣＣＥ構造のサイズが１より多く存在しない場合には、ステップ（３）で選択したＥ−ＣＣＥ構造のサイズを用いる
【０００８】
ＵＥにて実施される場合、前記Ｅ−ＣＣＥ構造のサイズは、前記ＵＥにて以下のステップ（１）〜（５）により決定しても良い。
（１）割り当てられた一対のＰＲＢ又は複数のＰＲＢ対におけるＥ−ＰＤＣＣＨ又は多重化されたＥＰＤＣＣＨのマッピングに利用可能なＲＥの数を算出する
（２）各Ｅ−ＣＣＥ構造のサイズのために、ステップ(１)で算出したＥ−ＰＤＣＣＨ又は多重化されたＥＰＤＣＣＨのマッピングに利用可能なＲＥの数をＥ−ＣＣＥ構造のサイズで幾つかのＲＥへ分割した、残りのＲＥを算出する
（３）ステップ(２)で最少の残りのＲＥの数を与えるＥ−ＣＣＥ構造のサイズを選択する
（４）最少の残りのＲＥの数を与えるＥ−ＣＣＥ構造のサイズが１より多く存在する場合、
ａ．最少の残りのＲＥの数を与える各Ｅ−ＣＣＥ構造のサイズのために、ノミネートされるアグリゲーションレベル１、２、４及び８から、最大の可能なアグリゲーションレベルを決定し、
ｂ．各Ｅ−ＣＣＥ構造のサイズのために、ステップ(１)で算出したＥ−ＰＤＣＣＨ又は多重化されたＥＰＤＣＣＨのマッピングに利用可能なＲＥの数をステップ（４）ａ．における最大の可能なアグリゲーションレベルで幾つかのＲＥへ分割した、残りのＲＥを算出し、
ｃ．最少の残りのＲＥとなるＥ−ＣＣＥ構造のサイズを選択する
（５）最少の残りのＲＥの数を与えるＥ−ＣＣＥ構造のサイズが１より多く存在しない場合には、ステップ（１）で選択したＥ−ＣＣＥ構造のサイズを用いる
【０００９】
本発明の他の態様は、ＬＴＥ(Ｌｏｎｇ Ｔｅｒｍ Ｅｖｏｌｕｔｉｏｎ)無線通信システム上でｅＮｏｄｅＢと通信するＵＥを提供する。このＵＥは、コントローラを備える。前記コントローラは、前記ＵＥを前記ＬＴＥ無線通信システム上で前記ｅＮｏｄｅＢとデータ通信できるように設定するための制御情報を構成する少なくとも一つのＥ−ＰＤＣＣＨ（Ｅｎｈａｎｃｅｄ−Ｐｈｙｓｉｃａｌ Ｄｏｗｎｌｉｎｋ Ｃｏｎｔｒｏｌ Ｃｈａｎｎｅｌ）を、受信する。前記少なくとも一つのＥ−ＰＤＣＣＨは、可変な数のＲＥＧ（Ｒｅｓｏｕｒｃｅ Ｅｌｅｍｅｎｔ Ｇｒｏｕｐｓ）を含むＥ−ＣＣＥ（Ｅｎｈａｎｃｅｄ−Ｃｏｎｔｒｏｌ Ｃｈａｎｎｅｌ Ｅｌｅｍｅｎｔ）構造に応じて、少なくとも一対の割り当てられたＰＢＲ（Ｐｈｙｓｉｃａｌ Ｒｅｓｏｕｒｃｅ Ｂｌｏｃｋｓ）へマッピングされる。また、前記コントローラは、Ｅ−ＣＣＥ構造における前記ＲＥＧの数を変更して、前記Ｅ−ＰＤＣＣＨマッピングに用いるチャネル稼働率を最適化すると共に、前記制御情報に基づき、前記ＵＥを前記ＬＴＥ無線通信システム上で前記ｅＮｏｄｅＢとデータ通信可能に設定する。
【００１０】
本発明の更なる他の態様は、ＬＴＥ(Ｌｏｎｇ Ｔｅｒｍ Ｅｖｏｌｕｔｉｏｎ)無線通信システム上でＵＥと通信するｅＮｏｄｅＢを提供する。このｅＮｏｄｅＢは、コントローラを備える。前記コントローラは、前記ＵＥを前記ＬＴＥ無線通信システム上で前記ｅＮｏｄｅＢとデータ通信できるように設定するための制御情報を構成する少なくとも一つのＥ−ＰＤＣＣＨ（Ｅｎｈａｎｃｅｄ−Ｐｈｙｓｉｃａｌ Ｄｏｗｎｌｉｎｋ Ｃｏｎｔｒｏｌ Ｃｈａｎｎｅｌ）を、送信する。前記少なくとも一つのＥ−ＰＤＣＣＨは、可変な数のＲＥＧ（Ｒｅｓｏｕｒｃｅ Ｅｌｅｍｅｎｔ Ｇｒｏｕｐｓ）を含むＥ−ＣＣＥ（Ｅｎｈａｎｃｅｄ−Ｃｏｎｔｒｏｌ Ｃｈａｎｎｅｌ Ｅｌｅｍｅｎｔ）構造に応じて、少なくとも一対の割り当てられたＰＢＲ（Ｐｈｙｓｉｃａｌ Ｒｅｓｏｕｒｃｅ Ｂｌｏｃｋｓ）へマッピングされる。また、前記コントローラは、Ｅ−ＣＣＥ構造における前記ＲＥＧの数を変更して、前記Ｅ−ＰＤＣＣＨマッピングに用いるチャネル稼働率を最適化すると共に、前記制御情報に基づき、前記ｅＮｏｄｅＢを前記ＬＴＥ無線通信システム上で前記ＵＥとデータ通信可能に設定する。
【００１１】
また、本発明の態様は、無線通信システム上で基地局と通信するＵＥ（ｕｓｅｒ ｅｑｕｐｉｍｅｎｔｓ）へ制御情報を提供する方法を提供する。この方法は、可変な数のＲＥＧ（ｒｅｓｏｕｒｃｅ ｅｌｅｍｅｎｔ ｇｒｏｕｐｓ）を含むＥＣＣＥ（ｅｎｈａｎｃｅｄ−ｃｏｎｔｒｏｌ ｃｈａｎｎｅｌ ｅｌｅｍｅｎｔ）構造に応じて、少なくとも一つのＥ−ＰＤＣＣＨ（ｅｎｈａｎｃｅｄ−ｐｈｙｓｉｃａｌ ｄｏｗｎｌｉｎｋ ｃｏｎｔｒｏｌ ｃｈａｎｎｅｌ）を少なくとも一対の割り当てられたＰＢＲ（ｐｈｙｓｉｃａｌ ｒｅｓｏｕｒｃｅ ｂｌｏｃｋｓ）へマッピングし、Ｅ−ＣＣＥ構造における前記ＲＥＧの数を変更する、ことを含む。
【００１２】
この方法は、前記ＵＥを前記無線通信システム上で前記基地局と通信できるように設定するための制御情報を構成する前記少なくとも一つのＥＰＤＣＣＨを、エンコードし、前記少なくとも一対の割り当てられたＰＢＲへマッピングした前記少なくとも一つのＥ−ＰＤＣＣＨを前記ＵＥへ伝え、以て前記ＵＥを、前記制御情報に基づき前記無線通信システム上で通信するよう設定可能にする、ことをさらに含んでも良い。
【００１３】
この方法において、各Ｅ−ＣＣＥ構造は、３、４、５、６、９、１０、１１、１２、１４又は１６個のＲＥＧのサイズを有しても良い。
【００１４】
この方法において、各Ｅ−ＣＣＥ構造は、１２、１６、２０、２４、３６、４０、４４、４８、５６又は６４個のＲＥ（ｒｅｓｏｕｒｃｅ ｅｌｅｍｅｎｔｓ）のサイズを有しても良い。
【００１５】
この方法において、前記ＲＥＧの数は、サブフレームによって異なっても良い。
【００１６】
この方法において、前記ＲＥＧの数は、一つのサブフレーム内でさえ異なっても良い。
【００１７】
基地局にて実施される場合、前記Ｅ−ＣＣＥ構造のサイズは、前記基地局にて以下のステップ（１）〜（５）により決定しても良い。
（１）Ｅ−ＰＤＣＣＨ向けの一対のＰＲＢ又は複数のＰＲＢ対へのＥ−ＰＤＣＣＨ又は多重化されたＥ−ＰＤＣＣＨのマッピングに利用可能なＲＥの数を算出する
（２）各Ｅ−ＣＣＥ構造のサイズのために、ステップ(１)で算出したＥ−ＰＤＣＣＨ又は多重化されたＥ−ＰＤＣＣＨのマッピングに利用可能なＲＥの数をＥ−ＣＣＥ構造のサイズで幾つかのＲＥへ分割した、残りのＲＥを算出する
（３）ステップ(２)で最少の残りのＲＥの数を与えるＥ−ＣＣＥ構造のサイズを選択する
（４）最少の残りのＲＥの数を与えるＥ−ＣＣＥ構造のサイズが１より多く存在する場合、
ａ．最少の残りのＲＥの数を与える各Ｅ−ＣＣＥ構造のサイズのために、ノミネートされるアグリゲーションレベル１、２、４及び８から、最大の可能なアグリゲーションレベルを決定し、
ｂ．各Ｅ−ＣＣＥ構造のサイズのために、ステップ(１)で算出したＥ−ＰＤＣＣＨ又は多重化されたＥ−ＰＤＣＣＨのマッピングに利用可能なＲＥの数をステップ（４）ａ．における最大の可能なアグリゲーションレベルで幾つかのＲＥへ分割した、残りのＲＥを算出し、
ｃ．最少の残りのＲＥとなるＥ−ＣＣＥ構造のサイズを選択する
（５）最少の残りのＲＥの数を与えるＥ−ＣＣＥ構造のサイズが１より多く存在しない場合には、ステップ（３）で選択したＥ−ＣＣＥ構造のサイズを用いる
【００１８】
ＵＥにて実施される場合、前記Ｅ−ＣＣＥ構造のサイズは、前記ＵＥにて以下のステップ（１）〜（５）により決定しても良い。
（１）割り当てられた一対のＰＲＢ又は複数のＰＲＢ対におけるＥ−ＰＤＣＣＨ又は多重化されたＥ−ＰＤＣＣＨのマッピングに利用可能なＲＥの数を算出する
（２）各Ｅ−ＣＣＥ構造のサイズのために、ステップ(１)で算出したＥ−ＰＤＣＣＨ又は多重化されたＥ−ＰＤＣＣＨのマッピングに利用可能なＲＥの数をＥ−ＣＣＥ構造のサイズで幾つかのＲＥへ分割した、残りのＲＥを算出する
（３）ステップ(２)で最少の残りのＲＥの数を与えるＥ−ＣＣＥ構造のサイズを選択する
（４）最少の残りのＲＥの数を与えるＥ−ＣＣＥ構造のサイズが１より多く存在する場合、
ａ．最少の残りのＲＥの数を与える各Ｅ−ＣＣＥ構造のサイズのために、ノミネートされるアグリゲーションレベル１、２、４及び８から、最大の可能なアグリゲーションレベルを決定し、
ｂ．各Ｅ−ＣＣＥ構造のサイズのために、ステップ(１)で算出したＥ−ＰＤＣＣＨ又は多重化されたＥＰＤＣＣＨのマッピングに利用可能なＲＥの数をステップ（４）ａ．における最大の可能なアグリゲーションレベルで幾つかのＲＥへ分割した、残りのＲＥを算出し、
ｃ．最少の残りのＲＥとなるＥ−ＣＣＥ構造のサイズを選択する
（５）最少の残りのＲＥの数を与えるＥ−ＣＣＥ構造のサイズが１より多く存在しない場合には、ステップ（１）で選択したＥ−ＣＣＥ構造のサイズを用いる
【００１９】
本発明の他の態様は、無線通信システム上でＵＥ（ｕｓｅｒ ｅｑｕｐｉｍｅｎｔ）と通信する基地局を提供する。この基地局は、可変な数のＲＥＧ（ｒｅｓｏｕｒｃｅ ｅｌｅｍｅｎｔ ｇｒｏｕｐｓ）を含むＥ−ＣＣＥ（ｅｎｈａｎｃｅｄ−ｃｏｎｔｒｏｌ ｃｈａｎｎｅｌ ｅｌｅｍｅｎｔ）構造に応じて、少なくとも一つのＥ−ＰＤＣＣＨ（ｅｎｈａｎｃｅｄ−ｐｈｙｓｉｃａｌ ｄｏｗｎｌｉｎｋ ｃｏｎｔｒｏｌ ｃｈａｎｎｅｌ）を、少なくとも一対の割り当てられたＰＢＲ（ｐｈｙｓｉｃａｌ ｒｅｓｏｕｒｃｅ ｂｌｏｃｋｓ）へマッピングするマッピング部を備え、Ｅ−ＣＣＥ構造における前記ＲＥＧの数を変更する。
【００２０】
この基地局は、制御情報を構成する前記少なくとも一つのＥＰＤＣＣＨを送信する送信部を、さらに備えても良い。この場合、前記ＵＥは、前記制御情報に基づき前記無線通信システム上で前記基地局と通信するよう設定される。
【００２１】
本発明の更なる他の態様は、無線通信システム上で基地局と通信するＵＥ（ｕｓｅｒ ｅｑｕｐｉｍｅｎｔ）を提供する。このＵＥは、コントローラを備える。前記コントローラは、前記ＵＥを前記無線通信システム上で前記基地局と通信できるように設定するための制御情報を構成する少なくとも一つのＥＰＤＣＣＨ（ｅｎｈａｎｃｅｄ−ｐｈｙｓｉｃａｌ ｄｏｗｎｌｉｎｋ ｃｏｎｔｒｏｌ ｃｈａｎｎｅｌ）を、受信する。前記少なくとも一つのＥ−ＰＤＣＣＨは、可変な数のＲＥＧ（ｒｅｓｏｕｒｃｅ ｅｌｅｍｅｎｔ ｇｒｏｕｐｓ）を含むＥ−ＣＣＥ（ｅｎｈａｎｃｅｄ−ｃｏｎｔｒｏｌ ｃｈａｎｎｅｌ ｅｌｅｍｅｎｔ）構造に応じて、少なくとも一対の割り当てられたＰＢＲ（ｐｈｙｓｉｃａｌ ｒｅｓｏｕｒｃｅ ｂｌｏｃｋｓ）へマッピングされる。Ｅ−ＣＣＥ構造における前記ＲＥＧの数は、前記基地局によって変更される。
【００２２】
本発明の更なる他の態様は、基地局において実施される方法を提供する。この方法は、可変な数のＲＥＧ（ｒｅｓｏｕｒｃｅ ｅｌｅｍｅｎｔ ｇｒｏｕｐｓ）を含むＥＣＣＥ（ｅｎｈａｎｃｅｄ−ｃｏｎｔｒｏｌ ｃｈａｎｎｅｌ ｅｌｅｍｅｎｔ）構造に応じて、少なくとも一つのＥＰＤＣＣＨ（ｅｎｈａｎｃｅｄ−ｐｈｙｓｉｃａｌ ｄｏｗｎｌｉｎｋ ｃｏｎｔｒｏｌ ｃｈａｎｎｅｌ）を、少なくとも一対の割り当てられたＰＢＲ（ｐｈｙｓｉｃａｌ ｒｅｓｏｕｒｃｅ ｂｌｏｃｋｓ）へマッピングし、Ｅ−ＣＣＥ構造における前記ＲＥＧの数を変更する、ことを含む。
【００２３】
この方法は、ＵＥを無線通信システム上で前記基地局と通信できるように設定するための制御情報を構成する前記少なくとも一つのＥＰＤＣＣＨを、エンコードし、前記少なくとも一対の割り当てられたＰＢＲへマッピングした前記少なくとも一つのＥ−ＰＤＣＣＨを前記ＵＥへ伝え、以て前記ＵＥを、前記制御情報に基づき前記無線通信システム上で通信するよう設定可能にする、ことをさらに含んでも良い。
【００２４】
本発明の更なる他の態様は、ＵＥ（ｕｓｅｒ ｅｑｕｐｉｍｅｎｔ）において実施される方法を提供する。この方法は、前記ＵＥを無線通信システム上で基地局と通信できるように設定するための制御情報を構成する少なくとも一つのＥＰＤＣＣＨ（ｅｎｈａｎｃｅｄ−ｐｈｙｓｉｃａｌ ｄｏｗｎｌｉｎｋ ｃｏｎｔｒｏｌ ｃｈａｎｎｅｌ）を受信する、ことを含む。前記少なくとも一つのＥ−ＰＤＣＣＨは、可変な数のＲＥＧ（ｒｅｓｏｕｒｃｅ ｅｌｅｍｅｎｔ ｇｒｏｕｐｓ）を含むＥ−ＣＣＥ（ｅｎｈａｎｃｅｄ−ｃｏｎｔｒｏｌ ｃｈａｎｎｅｌ ｅｌｅｍｅｎｔ）構造に応じて、少なくとも一対の割り当てられたＰＢＲ（ｐｈｙｓｉｃａｌ ｒｅｓｏｕｒｃｅ ｂｌｏｃｋｓ）へマッピングされる。Ｅ−ＣＣＥ構造における前記ＲＥＧの数は、前記基地局によって変更される。
【発明の効果】
【００２５】
本発明によれば、少なくとも、制御チャネルリソースの使用を最適化して、ＬＴＥ無線通信システムのシステム・ケイパビリティを向上させることが可能である。
【図面の簡単な説明】
【００２６】
【図１】図１は、本発明の実施形態に係るＬＴＥ(Ｌｏｎｇ Ｔｅｒｍ Ｅｖｏｌｕｔｉｏｎ)無線通信システムの概略図である。
【図２】図２は、本発明の実施形態に係るＥ−ＰＤＣＣＨのエンコーディングを示したフローチャートである。
【図３】図３は、割り当てられたＰＲＢ対へマッピングする３６個のＲＥサイズのＥ−ＣＣＥのグラフ表示である。
【図４】図４は、割り当てられたＰＲＢ対へマッピングする１２個のＲＥサイズのＥ−ＣＣＥのグラフ表示である。
【図５】図５は、１２個のＲＥサイズのＥ−ＣＣＥのためのＥ−ＣＣＥアグリゲーションのグラフ表示である。
【図６】図６は、割り当てられたＰＲＢ対へマッピングする２０個のＲＥサイズのＥ−ＣＣＥのグラフ表示である。
【図７】図７は、２０個のＲＥサイズのＥ−ＣＣＥのためのＥ−ＣＣＥアグリゲーションのグラフ表示である。
【図８】図８は、異なるＥ−ＣＣＥサイズを必要とする、同一のサブフレーム上での異なるＥ−ＰＤＣＣＨ設定のグラフ表示である。
【図９】図９は、ｅＮｏｄｅＢにて最適なＥ−ＣＣＥサイズの算出を実施することに関するステップを示したフローチャートである。
【図１０】図１０は、ＵＥにて最適なＥ−ＣＣＥサイズの算出を実施することに関するステップを示したフローチャートである。
【図１１】図１１は、同一の変調方式での異なる複合制御情報の空間多重化の第１の例のグラフ表示である。
【図１２】図１２は、異なる変調方式での異なる複合制御情報の空間多重化の第２の例のグラフ表示である。
【発明を実施するための形態】
【００２７】
本発明の実施形態を、ほんの一例として、図面を参照して説明する。
【００２８】
現行の従来型のＰＤＣＣＨ設計において、リソース要素に対するＰＤＣＣＨのマッピングは、所謂ＣＣＥ(Ｃｏｎｔｒｏｌ Ｃｈａｎｎｅｌ Ｅｌｅｍｅｎｔｓ)の構造を対象としており、このＣＣＥ構造は、その各々が４個のＲＥから成る９個のＲＥＧ(ｒｅｓｏｕｒｃｅ−ｅｌｅｍｅｎｔ ｇｒｏｕｐｓ)に順にグループ分けされる３６個の有効なリソース要素のセットである。或るＰＤＣＣＨに必要となるＣＣＥの数(すなわち、１、２、４又は８個)は、制御情報(ＤＣＩペイロード)のペイロードサイズ及びチャネル・コーティングレートに依存する。これは、ＰＤＣＣＨ用のリンクアダプテーションを実現するのに用いられている。ＰＤＣＣＨが向けられる端末にとってのチャネル状況が不利な状況に在る場合、有利なチャネル状況に在る場合と比して、より多くの数のＣＣＥを用いる必要がある。ＰＤＣＣＨに用いるＣＣＥの数は、アグリゲーションレベルとも呼称される。
【００２９】
従来のＰＤＣＣＨにとっては、ＰＤＣＣＨに利用可能なＣＣＥの数が、制御領域、セルの帯域幅、ダウンリンクアンテナポートの数、及びＰＨＩＣＨが占有するリソース量に依存する。制御領域のサイズは、サブフレームによって動的に変化し得て、他の数・量は、半静的に設定される。
【００３０】
Ｅ−ＰＤＣＣＨ(Ｅｎｈａｎｃｅｄ−ＰＤＣＣＨ)のために達成された作業仮説及び合意によれば、Ｅ−ＰＤＣＣＨに利用可能な有効ＲＥの数は、制御領域のサイズ、割り当てられるＰＲＢ対の数、ＰＲＢ対の位置(すなわち、中央の６若しくは７個のＰＲＢ、又は他のＰＲＢ)、サブフレーム番号(すなわち、タイプ２サブフレームの場合にはサブフレーム＃０、５若しくはスペシャルサブフレーム、又は他のサブフレーム)、ＣＲＳ設定の数、ＵＥ固有のＲＳ設定、ＣＳＩ−ＲＳ設定、及びサブフレームのタイプ(すなわち、通常ＣＰ又は拡張ＣＰ)に依存する。制御領域のサイズは、サブフレームによって動的に変化し得る。他の数・量は、半静的に設定されるが、周期的に現れるＣＳＩ−ＲＳ、ＰＢＣＨ、ＰＳＳ、ＳＳＳ、ＰＲＳのために予約されたＲＥ、及び／又はタイプ２フレーム構造の場合にはスペシャルサブフレームに因って、サブフレーム毎のＥ−ＰＤＣＣＨマッピングのために利用可能な有効ＲＥの数に影響を及ぼし得る。このことは、従来のＰＤＣＣＨと同一のＣＣＥサイズ(すなわち、９個のＲＥＧ)を使用する場合に、利用可能なチャネルリソースの効果的で無い使用に繋がる。
【００３１】
図３に示す簡易な例において、使用されるＲＥは、実際にはサブフレーム端に位置するのでは無く、以下の１〜８の場合、図２に示すＥ−ＰＤＣＣＨコーディング機構のインタリービング機能３８０の後に割り当てられたＰＢＲ対に沿って分散される。
１．通常ＣＰサブフレーム
２．制御領域のサイズが２ＯＦＤＭシンボルである
３．一対のＰＲＢが、中央の７２サブキャリア内でＥ−ＰＤＣＣＨに割り当てられる
４．サブフレーム番号が、０、５、又はタイプ２サブフレームの場合にはスペシャルサブフレームでは無い
５．２個のＣＲＳアンテナポート
６．２個のＤＭＲＳアンテナポート
７．２個のＣＳＩ−ＲＳアンテナポート
８．ＣＳＩ−ＲＳを伴わないサブフレーム上
【００３２】
従来のＰＤＣＣＨと同じ設計が９個のＲＥＧ(若しくは３６個のＲＥ)のＣＣＥサイズ及びアグリゲーションレベル２で適用される場合、１２個のＲＥＧ(又は４８個のＲＥ)が使用されず、これらをＥ−ＰＤＣＣＨ ＲＥの追加マッピングに使用してコーディングゲインを増加させ、以てＥ−ＰＤＣＣＨ復調性能を向上させ得る。これら未使用のＲＥは、Ｅ−ＰＤＣＣＨマッピングに利用可能な全チャネルキャパシティの４０％を占める。この場合、現行の曖昧な情報ビットのサイズ１２、１４又は１６が使用されると仮定すると、最大アグリゲーションレベルは２であり、アグリゲーションレベル１は、１／３より高いコーディングレートが使用されない限り、ＱＰＳＫ変調されたＥ−ＰＤＣＣＨへは適用出来ない。このことは、１コーティングレートのみがアグリゲーションレベル１を可能にするのに使用され得るというように、送信されるＥ−ＰＤＣＣＨ上でのリンクアダプテーションを制限するであろう。
【００３３】
図４を参照すると(なお、この図は、使用されるＲＥが、実際には論理的な順序で位置するのでは無く、図２のインタリービング機能３８０の後に割り当てられたＰＢＲ対に沿って分散されるのを説明することのみを目的として簡略化されている点に再度留意されたし)、９個のＲＥＧ(若しくは３６個のＲＥ)のＣＣＥサイズを用いるのに代えて、３個のＲＥＧ(若しくは１２個のＲＥ)のＣＣＥサイズを利用している。６個のＲＥＧ(すなわち、２４個のＲＥ)が使用されていない。これは、Ｅ−ＰＤＣＣＨマッピングに利用可能な全チャネルキャパシティの２０％である。更に、図５の下部に示す如く現行の曖昧な情報ビットのサイズ１２、１４又は１６が使用されると仮定すると、Ｅ−ＰＤＣＣＨがＱＰＳＫ変調される場合、最大アグリゲーションレベルは８であり、可能なアグリゲーションレベルは４及び８である。このことは、異なるアグリゲーションレベルの観点から、より優れたリンクアダプテーションを提供する。１６−ＱＡＭ又は６４−ＱＡＭといった高次の変調方式を考慮した場合、同一の変調レベルを有する複数のＥ−ＰＤＣＣＨを、可能なアグリゲーションレベル｛２、４、８｝で、全ての利用可能なＲＥへ多重化して活用することが出来る。このことは、図５に、１６−ＱＡＭ及び６４−ＱＡＭ変調されたＥ−ＰＤＣＣＨとして示されている。
【００３４】
図６を参照すると(なお、この図は、使用されるＲＥが、実際には論理的な順序で位置するのでは無く、図２のインタリービング機能３８０の後に割り当てられたＰＢＲ対に沿って分散されるのを説明することのみを目的として簡略化されている点に再度留意されたし)、９個のＲＥＧ(すなわち、３６個のＲＥ)のＣＣＥサイズを用いるのに代えて、５個のＲＥＧ(すなわち、２０個のＲＥ)のＣＣＥサイズを利用している。アグリゲーションレベル４を用いる場合、６個のＣＣＥを、割り当てられたＰＲＢ対へ収めることが出来る。１０個のＲＥＧ(すなわち、４０個のＲＥ)が使用されていない。これは、Ｅ−ＰＤＣＣＨマッピングに利用可能な全チャネルキャパシティの３３％である。図７の上部に示すようにＥ−ＰＤＣＣＨがＱＰＳＫ変調される場合、最大アグリゲーションレベルは４であり、他の可能なアグリゲーションレベルは無い。１６−ＱＡＭ又は６４−ＱＡＭといった高次の変調方式を考慮した場合、同一の変調レベルを有する複数のＥ−ＰＤＣＣＨを、可能なアグリゲーションレベル｛１、２、４｝で、全ての利用可能なＲＥへ多重化して活用することが出来る。このことは、図７の下部に、１６−ＱＡＭ及び６４−ＱＡＭ変調されたＥ−ＰＤＣＣＨとして示されている。
【００３５】
上記の例では、チャネルキャパシティをＥ−ＰＤＣＣＨへ効率良く割り当てて活用すると共に、リンクアダプテーションを効率良く実現可能にするために、Ｅ−ＰＤＣＣＨに異なるＣＣＥサイズが必要であることを実証した。
【００３６】
１以上の実施形態によれば、本発明は、Ｅ−ＰＤＣＣＨに用いる異なるＥ−ＣＣＥサイズのセット、並びにｅＮｏｄｅＢ及びＵＥで実施するための方法であって、サブフレームベースで適切なＥ−ＣＣＥサイズを算出及び選択し、以てｅＮｏｄｅＢで使用される設定Ｅ−ＣＣＥサイズをＵＥへ知らせるためのシグナリングを用いる必要の無い方法を提案する。
【００３７】
１以上の実施形態によれば、Ｅ−ＰＤＣＣＨのためにノミネートされるＥ−ＣＣＥサイズのセットは、これに限定されるものでは無いが、｛３、４、５、６、９、１０、１１、１２、１４、１６｝個のＲＥＧであるか、或いは｛１２、１６、２０、２４、３６、４０、４４、４８、５６、６４｝個のＲＥに相当する。
【００３８】
図１に、可変なＥ−ＣＣＥサイズを有するＥ−ＰＤＣＣＨをサポートするＬＴＥ無線通信システム１００を示す。
【００３９】
無線システム１００は、制御情報をエンコードし、Ｅ−ＰＤＣＣＨを所望のＵＥ １５０へ無線チャネルを介して送信するためのｅＮｏｄｅＢ １１０を備える。このｅＮｏｄｅＢ １００は、以下のａ〜ｄを用いる。
ａ．送信される制御情報をエンコードする、実装されたＥ−ＰＤＣＣＨエンコーディング機能１１２
ｂ．リンクアダプテーションのための最適なＥ−ＣＣＥサイズを導出するＥ−ＣＣＥサイズ算出機能１１１
ｃ．複合的な制御情報を形成する、実装されたＥ−ＣＣＥアグリゲーション機能１１３及びＥ−ＰＤＣＣＨ多重化機能１１４
ｄ．レイヤマッピング、プリコーディング、及びＥ−ＰＤＣＣＨを送信するために割り当てられたＰＲＢ対へのＥ−ＰＤＣＣＨ ＲＥマッピングを行う、実装されたＥ−ＰＤＣＣＨ物理チャネル処理機能１１５
更に、ｅＮｏｄｅＢは、異なるＵＥグループ又はＥ−ＰＤＣＣＨグループをターゲットとした異なる設定を有するＥ−ＰＤＣＣＨをマッピングして、図８に示す如く、チャネル状況、リンクアダプテーション、ビームフォーミング並びに性能目標を最大化することが出来る。
【００４０】
図２に、詳細なＥ−ＰＤＣＣＨチャネルコーディング及び物理チャネルコーディング(３００)を更に示す。
【００４１】
加えて、例示的なｅＮｏｄｅＢは、図１１及び図１２にそれぞれ示すようなマルチレイヤ送信及びプリコーディングのために、同一又は異なる変調方式で、複合的な制御情報ストリームを空間多重化するＥ−ＰＤＣＣＨ物理チャネル処理機能１１５を実装している。
【００４２】
更に、無線システム１００は、ＵＥ １５０を備えている。このＵＥ １５０は、Ｅ−ＰＤＣＣＨ受信機能１５３、Ｅ−ＣＣＥサイズ算出機能１５１及びＥ−ＰＤＣＣＨブラインドデコーディング機能１５２を用いて、自身向けのＥ−ＰＤＣＣＨの受信、検出及びデコードを行う。
【００４３】
Ｅ−ＣＣＥサイズ算出機能を実装するｅＮｏｄｅＢについては、以降のステップで、図９に規定される概略的な手順において説明する。
【００４４】
無線システムにおいて、ｅＮｏｄｅＢに属するＵＥは、幾何学的に分散している。このため、ＵＥ毎又はＵＥグループ毎に異なる設定が、Ｅ−ＰＤＣＣＨ復調性能を向上させる。これは、Ｅ−ＰＤＣＣＨ ＲＥマッピングのために割り当てられた同一のＰＲＢ対及び／又はビームフォーミング設定を共有するＵＥ或いはＵＥグループ毎に、異なるＥ−ＣＣＥサイズが用いられるのを要求することでもある。半静的な設定によって、Ｅ−ＰＤＣＣＨ ＲＥマッピングのために割り当てられた同一のＰＲＢ対を共有し、同一のＤＭＲＳ設定を有し、且つ同一のビームフォーミング設定を有するＵＥグループのために、ｅＮｏｄｅＢは、以下のステップ１〜５を用いて、全ての可能な制御領域サイズ、並びにＣＳＩ−ＲＳを伴う又は伴わないサブフレームのためのＥ−ＣＣＥサイズを算出する。
１．Ｅ−ＰＤＣＣＨマッピングに利用可能なＲＥの数を算出する
２．各Ｅ−ＣＣＥサイズのために、(１)において算出したＥ−ＰＤＣＣＨマッピングに利用可能なＲＥの数をＥ−ＣＣＥサイズで幾つかのＲＥへ分割した、残りのＲＥを算出する
３．(２)において最少の残りのＲＥを与えるＥ−ＣＣＥサイズを選択する
４．同一の最少残りのＲＥを与えるＥ−ＣＣＥサイズが１より多く存在する場合、
ａ．最少の残りのＲＥを与える各Ｅ−ＣＣＥサイズのために、最大の可能なアグリゲーションレベルを決定し、ノミネートされるアグリゲーションレベルは｛１、２、４、８｝であり、
ｂ．各Ｅ−ＣＣＥサイズのために、(１)において算出したＥ−ＰＤＣＣＨマッピングに利用可能なＲＥの数を最大の可能なアグリゲーションレベルで幾つかのＲＥへ分割した、残りのＲＥを算出し、
ｃ．最少の残りのＲＥとなるＥ−ＣＣＥサイズを選択する
５．さもなければ、（３）で選択したＥ−ＣＣＥサイズを用いる
【００４５】
サブフレーム毎に、ｅＮｏｄｅＢは、Ｅ−ＰＤＣＣＨエンコーディング、Ｅ−ＣＣＥアグリゲーション及びＥ−ＰＤＣＣＨ多重化のためにＣＳＩ−ＲＳを伴って或いは伴わずに動的に設定した制御領域サイズに対応して算出したＥ−ＣＣＥサイズを用いる。これらのｅＮｏｄｅＢが算出したＥ−ＣＣＥサイズは、半静的なパラメータのセットが再設定されてアクティブになる迄、或いは割り当てられるＰＲＢ対の数が変更されて有効となる迄は、有効であろう。
【００４６】
ＵＥがｅＮｏｄｅＢにより算出且つ使用されたものと同一のＥ−ＣＣＥサイズをシグナリング無しで適用可能とするため、ＵＥは、以降のステップで説明され、図１０に概略的に規定される、Ｅ−ＣＣＥサイズを算出するための手順を実施する。
【００４７】
システム１００のような無線システムにおいて、ｅＮｏｄｅＢは、図８に示す如く、ＵＥを、異なるＥ−ＰＤＣＣＨ設定のために割り当てられる異なるＰＲＢ対のセットを監視できるように設定可能である。このことは、ＵＥが監視する各Ｅ−ＰＤＣＣＨ設定に用いるべき異なるＥ−ＣＣＥサイズをも要求する。ＵＥが監視する各Ｅ−ＰＤＣＣＨ設定のために、ＵＥは、以下のステップ１〜５を用いて、全ての可能な制御領域サイズ、並びにＣＳＩ−ＲＳを伴う又は伴わないサブフレームのためのＥ−ＣＣＥサイズを算出する。
１．Ｅ−ＰＤＣＣＨマッピングに利用可能なＲＥの数を算出する
２．各Ｅ−ＣＣＥサイズのために、(１)において算出したＥ−ＰＤＣＣＨマッピングに利用可能なＲＥの数をＥ−ＣＣＥサイズで幾つかのＲＥへ分割した、残りのＲＥを算出する
３．(２)において最少の残りのＲＥを与えるＥ−ＣＣＥサイズを選択する
４．同一の最少残りのＲＥを与えるＥ−ＣＣＥサイズが１より多く存在する場合、
ａ．最少の残りのＲＥを与える各Ｅ−ＣＣＥサイズのために、最大の可能なアグリゲーションレベルを決定し、ノミネートされるアグリゲーションレベルは｛１、２、４、８｝であり、
ｂ．各Ｅ−ＣＣＥサイズのために、(１)において算出したＥ−ＰＤＣＣＨマッピングに利用可能なＲＥの数を最大の可能なアグリゲーションレベルで幾つかのＲＥへ分割した、残りのＲＥを算出し、
ｃ．最少の残りのＲＥとなるＥ−ＣＣＥサイズを選択する
５．さもなければ、（３）で選択したＥ−ＣＣＥサイズを用いる
【００４８】
サブフレーム毎に、ＵＥは、Ｅ−ＰＤＣＣＨエンコーディング、Ｅ−ＰＤＣＣＨ受信及び自身へ向けられた制御情報に対するＥ−ＰＤＣＣＨブラインドデコーディングのためにＣＳＩ−ＲＳを伴って或いは伴わずに動的に検出した制御領域サイズに対応して算出したＥ−ＣＣＥサイズを用いる。これらのＵＥが算出したＥ−ＣＣＥサイズは、半静的なパラメータのセットが再設定されてアクティブになる迄、或いは割り当てられるＰＲＢ対の数が変更されて有効となる迄は、有効であろう。
【００４９】
上記の内容から分かるように、本発明の様々に記載した実施形態は、次の１〜５のような包括的で無い効果のリストを提供する。
１．ｅＮｏｄｅＢによって様々なＥ−ＰＤＣＣＨ Ｅ−ＣＣＥサイズを選択且つ設定し、以て一対のＰＲＢ又は複数のＰＲＢ対においてＥ−ＰＤＣＣＨをマッピングするのに利用可能なＲＥ(Ｒｅｓｏｕｒｃｅ Ｅｌｅｍｅｎｔｓ)を有効活用できる。
２．ｅＮｏｄｅＢにより、ＵＥへの通知を伴うこと無く、最適なＥ−ＣＣＥサイズを算出し、算出したＥ−ＣＣＥサイズをサブフレームベースで適用するための手順が実施される。
３．ＵＥにより、シグナリングを伴うこと無く、ｅＮｏｄｅＢが使用する最適なＥ−ＣＣＥサイズを算出し、ｅＮｏｄｅＢが使用する的確なＥ−ＣＣＥサイズをサブフレーム毎且つＥ−ＰＤＣＣＨ設定毎に適用するための手順が実施される。
４．異なる設定を有するＥ−ＰＤＣＣＨを同一のチャネルＢＷ上にマッピングし、以て最適なリンクアダプテーション及びチャネル状況を得ると共に、異なるＥ−ＰＤＣＣＨ設定に関する異なるＥ−ＣＣＥサイズを用いて最適なＥ−ＰＤＣＣＨチャネル割当を維持する。
５．複合的な制御情報ストリームが、異なるＥ−ＣＣＥアグリゲーション及び変調方式で多重化される。
【００５０】
当然のことながら、前述した部分には、本発明の範囲を逸脱すること無く様々な変更、追加及び／又は改良が成されても良いし、上記の教示を考慮すると、本発明は、ソフトウェア、ファームウェア及び／又はハードウェアにおいて、当業者によって理解され得る種々の方法で実施されても良い。
【００５１】
本明細書に含まれる文書、行為、材料、装置、用品等についての考察は、本発明の内容を提供することのみを目的としている。これらの事項の何れか又は全ては、従来技術の一部を形成する、或いは本願の各請求項の優先日以前に存在した本発明の関連分野において周知であったことを示唆又は意味するものでは無い。
【００５２】
本明細書の説明及び請求項を通して、“構成する”との文言及び“構成し”といった文言の変化は、他の付加物、構成要素、整数値又はステップを除外することを意図するものでは無い。
【００５３】
この出願は、２０１２年３月１４日に出願されたオーストラリア国仮特許出願第２０１２９０１０１７号を基礎とする優先権を主張し、その開示の全てをここに取り込む。
【産業上の利用可能性】
【００５４】
本発明は、ＬＴＥ(Ｌｏｎｇ Ｔｅｒｍ Ｅｖｏｌｕｔｉｏｎ)無線通信システム上でｅＮｏｄｅＢとデータ通信するＵＥ(Ｕｓｅｒ Ｅｑｕｉｐｍｅｎｔｓ)へ制御情報を提供する方法に適用可能である。
【符号の説明】
【００５５】
１００  ＬＴＥ無線通信システム
１１０  ｅＮｏｄｅＢ
１１１  Ｅ−ＣＣＥサイズ算出機能
１１２  Ｅ−ＰＤＣＣＨエンコーディング機能
１１３  Ｅ−ＣＣＥアグリゲーション機能
１１４  Ｅ−ＰＤＣＣＨ多重化機能
１１５  Ｅ−ＰＤＣＣＨ物理チャネル処理機能
１５０  ＵＥ(Ｕｓｅｒ Ｅｑｕｉｐｍｅｎｔ)
１５１  Ｅ−ＣＣＥサイズ算出機能
１５２  Ｅ−ＰＤＣＣＨブラインドデコーディング機能
１５３  Ｅ−ＰＤＣＣＨ受信機能
【要約】
無線通信システム(１００)上で基地局(１１０)と通信するＵＥ(ｕｓｅｒ ｅｑｕｐｉｍｅｎｔｓ)(１５０)へ制御情報を提供する方法が提供される。この方法は、可変な数のＲＥＧ(ｒｅｓｏｕｒｃｅ ｅｌｅｍｅｎｔ ｇｒｏｕｐｓ)を含むＥＣＣＥ(ｅｎｈａｎｃｅｄ−ｃｏｎｔｒｏｌ ｃｈａｎｎｅｌ ｅｌｅｍｅｎｔ)構造に応じて、少なくとも一つのＥ−ＰＤＣＣＨ(ｅｎｈａｎｃｅｄ−ｐｈｙｓｉｃａｌ ｄｏｗｎｌｉｎｋ ｃｏｎｔｒｏｌ ｃｈａｎｎｅｌ)を、少なくとも一対の割り当てられたＰＢＲ(ｐｈｙｓｉｃａｌ ｒｅｓｏｕｒｃｅ ｂｌｏｃｋｓ)へマッピングし、Ｅ−ＣＣＥ構造における前記ＲＥＧの数を変更する、ことを含む。
【選択図】図１【図１】
0005574065.tif 000002
【図２】
0005574065.tif 000003
【図３】
0005574065.tif 000004
【図４】
0005574065.tif 000005
【図５】
0005574065.tif 000006
【図６】
0005574065.tif 000007
【図７】
0005574065.tif 000008
【図８】
0005574065.tif 000009
【図９】
0005574065.tif 000010
【図１０】
0005574065.tif 000011
【図１１】
0005574065.tif 000012
【図１２】
0005574065.tif 000013